(57)【特許請求の範囲】
【請求項１】
いずれもが複数のアンテナを有する送信装置と受信装置と、を備えた無線通信システムであって、
前記送信装置に対して、当該送信装置におけるアンテナの自動的な選択を指示する第１の信号を送信すると共に、前記受信装置に対して、当該受信装置におけるアンテナの自動的な選択を指示する第２の信号を送信することにより、前記送信装置および前記受信装置の有する各アンテナの通信状態の検査を開始する遠隔制御装置をさらに備えており、
前記送信装置は、
前記遠隔制御装置から、前記第１の信号を受け付ける送信装置用受付手段と、
前記送信装置用受付手段が前記第１の信号を受け付けたとき、前記送信装置における前記複数のアンテナを順に全て選択すると共に、前記受信装置へ送信するデータを取得する送信制御手段と、
前記送信装置における前記複数のアンテナのうち、選択されたアンテナを用いて、前記受信装置へ前記データおよび前記選択されたアンテナを示す識別情報を送信する送信手段と、を備えており、
前記受信装置は、
前記遠隔制御装置から、前記第２の信号を受け付ける受信装置用受付手段と、
前記受信装置用受付手段が前記第２の信号を受け付けたとき、前記受信装置における前記複数のアンテナを順に全て選択する受信制御手段と、
前記受信装置における前記複数のアンテナのうち、選択されたアンテナを用いて、前記送信装置から前記データおよび前記識別情報を受信する受信手段と、
前記データに、前記識別情報を重畳させて表示手段に表示する表示制御手段と、を備えていることを特徴とする無線通信システム。
【請求項２】
前記送信装置において前記データおよび前記識別情報を送信するアンテナは、前記受信装置から所定の信号を受信する毎に新たに選択されることを特徴とする請求項１に記載の無線通信システム。
【請求項３】
前記受信装置において前記データおよび前記識別情報を受信するアンテナは、前記送信装置から所定の信号を受信する毎に新たに選択されることを特徴とする請求項１に記載の無線通信システム。
【請求項４】
前記送信装置における前記複数のアンテナのうち、少なくとも１つのアンテナは、他のアンテナと異方性配置の関係を有していることを特徴とする請求項１または２に記載の無線通信システム。
【請求項５】
前記受信装置における前記複数のアンテナのうち、少なくとも１つのアンテナは、他のアンテナと異方性配置の関係を有していることを特徴とする請求項１または３に記載の無線通信システム。
【請求項６】
前記データは、少なくとも前記検査に用いる映像データを含むことを特徴とする請求項１から５のいずれか１項に記載の無線通信システム。
【請求項７】
いずれもが複数のアンテナを有する送信ユニットと受信ユニットと、を備えた映像表示装置であって、
前記送信ユニットに対して、当該送信ユニットにおける複数のアンテナの自動的な選択を指示する第１の信号を送信すると共に、前記受信ユニットに対して、当該受信ユニットにおける複数のアンテナの自動的な選択を指示する第２の信号を送信することにより、前記送信ユニットおよび前記受信ユニットの有する各アンテナの通信状態の検査を開始する遠隔制御ユニットをさらに備えており、
前記送信ユニットは、
前記送信ユニット用受付手段が前記第１の信号を受け付けたとき、前記送信ユニットにおける前記複数のアンテナを順に全て選択すると共に、前記受信装置へ送信するデータを取得する送信制御手段と、
前記送信ユニットにおける前記複数のアンテナのうち、選択されたアンテナを用いて、前記受信ユニットへ前記データおよび前記選択されたアンテナを示す識別情報を送信する送信手段と、を備えており、
前記受信ユニットは、
前記遠隔制御ユニットから、前記第２の信号を受け付ける受信ユニット用受付手段と、
前記受信ユニット用受付手段が前記第２の信号を受け付けたとき、前記受信ユニットにおける前記複数のアンテナを順に全て選択する受信制御手段と、
前記受信ユニットにおける前記複数のアンテナのうち、選択されたアンテナを用いて、前記送信ユニットから前記データおよび前記識別情報を受信する受信手段と、
前記データに、前記識別情報を重畳させて表示手段に表示する表示制御手段と、を備えていることを特徴とする映像表示装置。
【請求項８】
請求項１、２、４および６のいずれか１項に記載の送信装置を動作させるプログラムであって、コンピュータを上記各手段として機能させるためのプログラム。
【請求項９】
請求項１、３、５および６のいずれか１項に記載の受信装置を動作させるプログラムであって、コンピュータを上記各手段として機能させるためのプログラム。
【請求項１０】
請求項８または９に記載のプログラムを記録したコンピュータ読み取り可能な記録媒体。
【発明の詳細な説明】
【技術分野】
【０００１】  本発明は、無線ＬＡＮ等の無線通信により、画像データを伝送して表示させる無線通信システムに関し、特に複数のアンテナの通信性能を検査することが可能な無線通信システム、送信装置、受信装置、通信装置、データ送信方法、データ受信方法、プログラム、および、プログラムを記録したコンピュータ読み取り可能な記録媒体に関する。
【背景技術】
【０００２】  近年、液晶テレビジョン装置やＣＲＴテレビジョン装置などの持ち運び可能な可搬型の無線通信装置が提案され、ＩＥＥＥ８０２．１１もしくはＩＥＥＥ８０２．１１Ｂに準拠するＳＳ（Ｓｐｒｅａｄ  Ｓｐｅｃｔｒｕｍ：スペクトラム拡散）無線方式を使用して、映像信号を送受信するものが提案されている。更に、この無線通信装置にあっては、上記無線方式だけでなく、データ転送速度が高速化される次世代携帯電話装置、ＰＨＳ（Ｐｅｒｓｏｎａｌ  Ｈａｎｄｙ−Ｐｈｏｎｅ  Ｓｙｓｔｅｍ）、あるいは、Ｂｌｕｅ  Ｔｏｏｔｈにも用いることができるものも提案されている。【０００３】  このような無線方式においては受信アンテナが必要となるが、一般的に、ＳＳ無線方式やＢｌｕｅ  Ｔｏｏｔｈ無線方式等で用いられている周波数帯域２．４ＧＨｚ帯用のアンテナ素子１２のアンテナ長は、無線波長の１／４に相当する約３ｃｍとなる。【０００４】  このアンテナは、互いに垂直な位置関係にある一対のメインアンテナエレメントを用いている（特許文献１（特開平２−２７８９０３号公報（公開日：平成２年１１月１５日））参照）。一対のアンテナエレメントは、互いのアンテナエレメントの配置関係が垂直方向に配置されることにより、各方向への利得を確保することが可能となり、ワイヤレス通信における発信体から放射される電波の偏波面、方向の変化に対応した受信性能を引き出すことが可能となる。【０００５】  画像データを受信してそれをＳＳ無線方式で送信する送信装置と、その画像データを受信して表示する表示装置では、出荷前の検査段階において、各部品が筐体に収納された状態で送信装置から一定映像を送信し、表示装置に表示される映像の表示状態をチェックして良否を判別していた。【０００６】  しかしながら、このチェックでは、受信状態が良好か否かを表示チェックしているのみである。もし、受信状態が不良であった場合、送信装置と表示装置の筐体内のアンテナ部分を含んだ部分を露出状態にして精密検査を行い、不良部分を特定する必要があった。出荷前のチェックで、ある程度の不良個所が特定されれば、その部分のみを再度検査すればよいので、検査の手間と時間の節約となる。【０００７】  また、上記チェックでは、各アンテナの良否まではチェックすることはできない。つまり、送信側の或る１つのアンテナと、受信側の或る１つのアンテナとを用いた場合（つまり、一つの組み合わせ）における、映像の表示状態のみをチックしているだけであって、全てのアンテナの組み合わせについては、映像の表示状態をチェックできない。【０００８】  このため、アンテナに関しては、どのアンテナが不良（異常）であるのかを特定するのには、アンテナ毎に精密検査する必要となる。それゆえ、不良のアンテナの特定には、手間と時間とを要する。
【発明の開示】
【０００９】  本発明は、上記課題を解決するためになされたものであって、その目的は、異常のアンテナを容易に判断することができる送信装置、受信装置、通信装置、無線通信システム、データ送信方法、データ受信方法、プログラム、および、プログラムを記録したコンピュータ読み取り可能な記録媒体を提供することにある。
【００１０】  さらに、本発明は、斯かる実情に鑑み、検査工程において、異方性配置の関係にある複数本の各アンテナの通信状態を検査可能な無線通信システムを提供することを目的とするものである。
【００１１】  本発明に係る送信装置は、上記の課題を解決するために、データ送信用の複数のアンテナと、前記複数のアンテナのうち、データ送信に用いるアンテナを指定する指定信号を、外部から受け付ける送信装置用受付手段と、前記指定信号で指定されたアンテナを用いてデータ送信を行う送信手段とを備えることを特徴としている。
【００１２】  上記の構成によれば、送信装置用受付手段により、前記複数のアンテナのうち、データ送信に用いるアンテナを指定する指定信号を外部から受け付けることができる。また、送信手段により、前記指定信号で指定されたアンテナを用いてデータ送信を行うことができる。
【００１３】  それゆえ、指定されたアンテナを用いて送信したデータを、受信側の装置（受信装置）で確認することができる。
【００１４】  したがって、受信装置でのデータ受信が良好な場合には、指定されたアンテナが異常でないことを判断できるという効果を奏する。
【００１５】  また、本発明に係る送信装置は、上記の課題を解決するために、データ送信用の複数のアンテナと、所定の指示を受け付けた場合、アンテナを順に指定する送信装置用指定手段と、前記順に指定されたアンテナを用いてデータ送信を行う送信手段とを備えることを特徴としている。
【００１６】  上記の構成によれば、送信装置用指定手段が所定の信号を受け付けた場合、送信装置用指定手段により、アンテナが順に指定される。また、送信手段により、前記順に指定されたアンテナを用いてデータ送信を行うことができる。
【００１７】  それゆえ、各アンテナを用いてデータ送信した際のデータを、受信装置で確認することができる。
【００１８】  したがって、全てのアンテナに関し、アンテナの異常を判断できるという効果を奏する。
【００１９】  また、本発明に係る受信装置は、上記の課題を解決するために、データ受信用の複数のアンテナと、前記複数のアンテナのうち、データ受信に用いるアンテナを指定する指定信号を、外部から受け付ける受信装置用受付手段と、前記指定信号で指定されたアンテナを用いてデータ受信を行う受信手段とを備えることを特徴としている。
【００２０】  上記の構成によれば、受信装置用受付手段により、前記複数のアンテナのうち、データ受信に用いるアンテナを指定する指定信号を外部から受け付けることができる。また、受信手段により、前記指定信号で指定されたアンテナを用いてデータ受信を行うことができる。
【００２１】  それゆえ、指定されたアンテナを用いて受信したデータを、自装置で確認することができる。
【００２２】  したがって、自装置でのデータ受信が良好な場合には、指定されたアンテナが異常でないことを判断できるという効果を奏する。
【００２３】  また、本発明に係る受信装置は、上記の課題を解決するために、データ受信用の複数のアンテナと、所定の指示を受け付けた場合、アンテナを順に指定する受信装置用指定手段と、前記順に指定されたアンテナを用いてデータ受信を行う受信手段とを備えることを特徴としている。
【００２４】  上記の構成によれば、受信装置用指定手段が所定の信号を受け付けた場合、受信装置用指定手段により、アンテナが順に選択される。また、受信手段により、前記順に指定されたアンテナを用いてデータ受信を行うことができる。
【００２５】  それゆえ、各アンテナを用いてデータ送信した際のデータを、自装置で確認することができる。
【００２６】  したがって、全てのアンテナに関し、アンテナの異常を判断できるという効果を奏する。
【００２７】  また、本発明に係る無線通信システムは、上記の課題を解決するために、上記の送信装置と、上記の受信装置とを備えることを特徴としている。
【００２８】  上記の構成によれば、無線通信システムは、上述した送信装置と受信装置とを備えている。
【００２９】  したがって、少なくとも、送信装置と受信装置とが、それぞれ、指定信号を受け付けることにより、送信装置の各アンテナの良否と、受信装置の各アンテナの良否とが判断できるという効果を奏する。
【００３０】  また、本発明に係る無線通信システムは、上記の課題を解決するために、異方性配置の関係にある複数のアンテナを有する送信装置と受信装置を備える無線通信システムにおいて、検査工程時に送信装置及び受信装置のそれぞれのアンテナを機能させるか否かを選択できる選択手段を備え、前記送信装置は、前記選択手段から指示されたアンテナを機能させる送信制御手段を備え、前記受信装置は、前記選択手段から指示されたアンテナを機能させる受信制御手段を備え、送信装置及び受信装置における、少なくとも１つ以上のアンテナを機能させて、各アンテナの全ての組み合わせの通信状態を検査することを特徴としている。
【００３１】  また、本発明に係る無線通信システムは、上記の課題を解決するために、異方性配置の関係にある複数のアンテナを有する送信装置と受信装置を備える無線通信システムにおいて、前記送信装置は、所定の順にアンテナを機能させる送信制御手段を備え、前記受信装置は、所定の順にアンテナを機能させる受信制御手段を備え、送信装置及び受信装置における、少なくとも１つ以上のアンテナを機能させて、各アンテナの全ての組み合わせの通信状態を検査することを特徴としている。
【００３２】  上記の発明によれば、送信装置及び受信装置の少なくとも１つ以上のアンテナを機能させて通信状態を検査できるので、機能しているアンテナの組み合わせから、各アンテナの良否を検査できる。
【００３３】  また、本発明によれば、送信装置及び受信装置の制御手段が、機能させるアンテナを自動的に選択するので、検査作業者がアンテナを選択する手間が省ける。
【００３４】  また、本発明に係るデータ送信方法は、上記の課題を解決するために、複数のアンテナのうち、データ送信に用いるアンテナを指定する指定信号を、外部から受け付ける受付ステップと、前記指定信号で指定されたアンテナを用いてデータ送信を行う送信ステップとを備えることを特徴としている。
【００３５】  上記の方法によれば、受付ステップにより、複数のアンテナのうち、データ送信に用いるアンテナを指定する指定信号を外部から受け付けることができる。また、送信ステップにより、前記指定信号で指定されたアンテナを用いてデータ送信を行うことができる。
【００３６】  それゆえ、指定されたアンテナを用いて送信したデータを、受信側の装置（受信装置）で確認することができる。
【００３７】  したがって、受信装置でのデータ受信が良好な場合には、指定されたアンテナが異常でないことを判断できるという効果を奏する。
【００３８】  また、本発明に係るデータ送信方法は、上記の課題を解決するために、所定の指示を受け付けた場合、アンテナを順に指定する指定ステップと、前記順に指定されたアンテナを用いてデータ送信を行う送信ステップとを備えることを特徴としている。
【００３９】  上記の方法によれば、所定の信号を受け付けた場合、指定ステップにより、アンテナが順に指定される。また、送信ステップにより、前記順に指定されたアンテナを用いてデータ送信を行うことができる。
【００４０】  それゆえ、各アンテナを用いてデータ送信した際のデータを、受信側の装置で確認することができる。
【００４１】  したがって、全てのアンテナに関し、アンテナの異常を判断できるという効果を奏する。
【００４２】  また、本発明に係るデータ受信方法は、上記の課題を解決するために、複数のアンテナのうち、データ受信に用いるアンテナを指定する指定信号を、外部から受け付ける受付ステップと、前記指定信号で指定されたアンテナを用いてデータ受信を行う受信ステップとを備えることを特徴としている。
【００４３】  上記の方法によれば、受付ステップにより、複数のアンテナのうち、データ受信に用いるアンテナを指定する指定信号を外部から受け付けることができる。また、受信ステップにより、前記指定信号で指定されたアンテナを用いてデータ受信を行うことができる。
【００４４】  それゆえ、指定されたアンテナを用いて受信したデータを、受信側の装置（受信装置）で確認することができる。
【００４５】  したがって、受信装置でのデータ受信が良好な場合には、指定されたアンテナが異常でないことを判断できるという効果を奏する。
【００４６】  また、本発明に係るデータ受信方法は、上記の課題を解決するために、所定の指示を受け付けた場合、アンテナを順に指定する選択ステップと、前記順に指定されたアンテナを用いてデータ受信を行う受信ステップとを備えることを特徴としている。
【００４７】  上記の方法によれば、所定の信号を受け付けた場合、選択ステップにより、アンテナが順に選択される。また、受信ステップにより、前記順に指定されたアンテナを用いてデータ受信を行うことができる。
【００４８】  それゆえ、各アンテナを用いてデータ送信した際のデータを、受信側の装置で確認することができる。
【００４９】  したがって、全てのアンテナに関し、アンテナの異常を判断できるという効果を奏する。
【００５０】  また、本発明に係るプログラムは、上記の課題を解決するために、上記送信装置の送信装置用指定手段としてコンピュータを機能させるためのプログラムであることを特徴としている。
【００５１】  したがって、上記プログラムをコンピュータシステムにロードすることによって、上記送信装置をユーザに提供することが可能となるという効果を奏する。
【００５２】  また、本発明に係るプログラムは、上記の課題を解決するために、上記受信装置の受信装置用指定手段としてコンピュータを機能させるためのプログラムであることを特徴としている。
【００５３】  したがって、上記プログラムをコンピュータシステムにロードすることによって、上記受信装置をユーザに提供することが可能となるという効果を奏する。
【００５４】  また、本発明に係る記録媒体は、上記の課題を解決するために、上記プログラムを記録したコンピュータ読み取り可能な記録媒体であることを特徴としている。
【００５５】  したがって、上記記録媒体に記録されているプログラムをコンピュータシステムにロードすることによって、上記送信装置または受信装置をユーザに提供することが可能となるという効果を奏する。
【図面の簡単な説明】
【００５６】
【図１】本発明に係る無線通信システムの一実施形態を表した構成図である。
【図２（ａ）】逆Ｌ型アンテナの構造を示す斜視図である。
【図２（ｂ）】逆Ｆ型アンテナの構造を示す斜視図である。
【図３】映像伝送ユニットの一例を示す分解図である。
【図４】表示ユニットの一例を示す組み込み図である。
【図５】本発明に係る無線通信システムを示すブロック図である。
【図６】検査工程における表示ユニットの表示画面を示す説明図である。
【発明を実施するための最良の形態】
【００５７】  以下、本発明の実施の形態を添付図面を参照して説明する。【００５８】  まず、図１に示すように、本発明の無線通信システムは、映像データを受信してそれをＳＳ無線方式にて伝送する映像伝送ユニット（送信装置・通信装置）２０と、画像データを受信して表示する持ち運び可能な表示ユニット（受信装置・通信装置）３０と、リモートコントロール装置（選択手段、遠隔制御装置）（図示せず）との組み合わせによって構成される。【００５９】  映像伝送ユニット２０は、例えば、ＣＡＴＶの信号やテレビ電波を受信して比較的大容量の映像信号を表示ユニット３０に送るには数ＧＨｚオーダー以上の周波数帯域の搬送波を用いた発信手段であることが好ましい。そのため、例えば直接拡散（ＤＳ）方式や周波数ホッピング（ＦＨ）方式といったいわゆるＳＳ（Ｓｐｒｅａｄ  Ｓｐｅｃｔｒｕｍ：スペクトラム拡散）無線方式等の通信方式であることが好ましい。【００６０】  表示ユニット３０は主に、液晶パネルからなる表示画面部３１、表示画面部３１の左右両側に配置された半円形状のスピーカ格納部３２、スタンド３３、映像処理回路（図示せず）、表示ユニット全体を持ち運びを可能にするための取っ手３４等から構成される。表示画面部３１には液晶パネルを用いているが、特にこれに限定されるわけでなく、表示素子を構成する部材であればよい。特に携行性に適した薄型の表示素子であると尚良く、有機／無機ＥＬ表示素子やＦＥＤ表示素子、プラズマ表示素子等が挙げられる。【００６１】  これらＳＳ無線方式の送受信装置（映像伝送ユニット２０と表示ユニット３０）は、発信手段等を含めた回路と複数のアンテナ等を備えている。【００６２】  次に、各ユニット２０，３０に用いるアンテナについて説明する。【００６３】  図２は、このアンテナの構造を示す斜視図であり、（ａ）は逆Ｌ型アンテナ、（ｂ）は逆Ｆ型アンテナである。逆Ｌ型アンテナ５０は、矩形上のアンテナ基板５１と、側面逆Ｌ字状の金属板からなるアンテナ素子部５２とから構成されている。一方、逆Ｆ型アンテナ５５は、矩形上のアンテナ基板５６と、側面逆Ｆ字状の金属板からなるアンテナ素子部５７とから構成されている。アンテナはどちらのタイプを用いても構わないが、本実施形態においては、逆Ｆ型アンテナを用いるものとする。【００６４】  図３に示すように、映像伝送ユニット２０は、上面カバー２１ａ、前面パネル２１ｂ、底面カバー２１ｃの筐体内にチューナ部２３やビデオ端子２４等を搭載したセンター基板２２等の部品を収納しており、上面カバー２１ａ、前面パネル２１ｂは取り外し可能である。映像伝送ユニット２０の筐体内部には、さらに図３に示すように、アンテナ２６、及びアンテナ２７が互いに直交関係を保持するように配置されており、各アンテナ２６，２７は、ケーブル２８，２９を介して無線通信送信部２５に接続される。これにより、表示ユニット３０におけるアンテナ配置と同様に（詳しくは後述する）、互いのアンテナの配置関係が垂直方向に配置されることにより、各方向への利得を確保することが可能となる。こうして、ワイヤレス通信における発信体から放射される電波の偏波面、方向の変化に対応した受信性能を引き出すことが可能となる。なお、アンテナ２６・２７が、請求の範囲に記載のデータ送信用のアンテナに該当する。【００６５】  図４に示すように、アンテナ４１〜４３が、ビスを介して表示ユニット３０の前面キャビネット４７に固定されつつ、無線通信受信部４６へケーブルを介して接続される。アンテナ４１，４２は、互いに取り付け方向が９０度異なるように、スピーカ格納部３２であってスピーカ４４，４５の上方に配置されている。アンテナ４３は、アンテナ４１，４２と互いに取り付け方向が９０度異なるように、表示画面部３１が収容されている部分に配置される。これにより、互いのアンテナ４１〜４３の配置関係が垂直方向に配置されることにより、各方向への利得を確保することが可能となり、ワイヤレス通信における発信体から放射される電波の偏波面、方向の変化に対応した受信性能を引き出すことが可能となる。ここで、アンテナ４１〜４３が、請求の範囲に記載のデータ受信用のアンテナに該当する。【００６６】  なお、各ユニット２０，３０が有するアンテナは、お互いに垂直方向に配置されているが、これに限るわけではなく、異方性配置の関係にあればよい。また、アンテナ数も２つ以上であればよく、特に数に限定があるわけではない。【００６７】  また、図５には本発明に係る無線通信システムにおける機能ブロック図を示す。【００６８】  映像伝送ユニット２０は、一般的な構成として、放送信号を受信する受信手段６１、受信した放送信号の映像信号を信号処理する映像処理手段６２、受信した放送信号の音声信号を信号処理する音声処理手段６３、映像処理手段６２および音声処理手段６３で処理された信号を圧縮するエンコーダ６４、エンコーダ６４で圧縮された信号を表示ユニット３０へ送信する無線送受信手段６５等から構成されている。なお、無線送受信手段６５が、請求の範囲に記載の送信手段に該当する。また、この無線送受信手段６５は、無線通信送信部２５、各アンテナ２６，２７、およびケーブル２８，２９により構成される。【００６９】  表示ユニット３０は、一般的な構成として、映像伝送ユニット２０の無線送受信手段６５から送信される映像信号を受信する無線送受信手段７９、無線送受信手段７９で受信した映像信号を伸長するデコーダ７０、デコーダ７０で伸長された映像信号を信号処理する映像処理手段（表示制御手段）７１、映像処理手段７１で信号処理された映像を表示する表示手段７２、デコーダ７０で伸長された音声信号を信号処理する音声処理手段７３、音声処理手段７３で信号処理された音声を出力するスピーカ７４、表示ユニット３０の制御を行うマイコン７５およびＲＯＭ７６、表示ユニット３０の操作を行うリモートコントロール装置（以降、リモコンと略す）８０からの信号を受信する受光手段７８等から構成されている。なお、無線送受信手段７９が、請求の範囲に記載の受信手段に該当する。また、表示画面部３１は、表示手段７２の一部（画面部分）に相当する。【００７０】  映像伝送ユニット２０は、受信手段６１で受信した放送信号を映像処理手段６２に送り映像搬送波等の除去を行うなどの信号処理を行い、再度無線通信信号を送るために映像圧縮処理等の作業を行うエンコーダ６４を介して無線送受信手段６５から設定された搬送周波数に重畳されて表示ユニット３０に送るといった一連の作業を主に行っている。また、これらの処理を適切に行うために映像伝送ユニット２０にはマイコン６７および各種設定値を記憶保持するためのＲＯＭ６８を有している。また、このＲＯＭ６８に記録された設定値をマイコン６７を介して変更可能にするための手段として、リモコン８０からの所定信号を受光するための受光手段６９を設けてもよいが、リモコン８０からの制御信号は、表示ユニット３０側にも設けられた受光手段７８とマイコン７５を介して、無線送受信手段７９から無線送受信手段７９で無線通信してマイコン６７に通信する通信経路を用いても良い。なお、マイコン６７が、請求の範囲に記載の送信制御手段と送信装置用指定手段と送信アンテナ用指定手段とに、受光手段６９が、請求の範囲に記載の送信装置用受付手段と送信アンテナ用受付手段とに該当する。【００７１】  ここで、映像伝送ユニット２０における、受光手段６９、マイコン６７、および無線送受信手段６５について、さらに詳しく説明する。【００７２】  受光手段６９は、リモコン８０から各種の信号を受信し、受信した信号をマイコン６７に送る。【００７３】  マイコン６７は、受光手段６９から送られてきた信号を受け付ける。ここで、受け付けた信号が、アンテナ２６・２７のうち、データ送信に用いるアンテナを指定するための信号（指定信号）である場合、マイコン６７は、この指定信号を無線送受信手段６５に送る。【００７４】  無線送受信手段６５は、マイコン６７から上記指定信号を受け付ける。そして、無線受信手段６５は、上記指定信号により指定されたアンテナを選択する。さらに、無線送受信手段６５は、この指定されたアンテナを用いて、映像データを表示ユニット３０に送る。【００７５】  一方、マイコン６７が、ある特定の信号を受け付けた場合、マイコン６７は、アンテナを順に指定する。より詳しくは、マイコン６７は、アンテナを順に指定した信号を無線送受信手段６５に送る。マイコン６７は、例えば、アンテナ２６を指定する信号を送り、その後、アンテナ２７を指定する信号を無線送受信手段６５に送る。なお、上記特定の信号が、請求の範囲に記載の所定の指示に該当する。【００７６】  無線送受信手段６５は、上記順に指定されたアンテナを用いてデータ送信を行う。つまり、無線送受信手段６５は、例えば、アンテナ２６を用いてデータ送信を行った後、アンテナ２７を用いたデータ送信を行う。【００７７】  さらに、無線送受信手段６５は、データ送信に用いているアンテナの情報（以下、アンテナ情報）を、表示ユニット３０に送る。つまり、無線送受信手段６５は、今、どのアンテナを用いているかを示した情報を送る。【００７８】  表示ユニット３０は、無線送受信手段６５から送信された放送信号を無線送受信手段７９で受信し通信波等の除去を行うなどの処理を行い、映像信号処理等の作業を行うデコーダ７０を介して映像処理手段７１から表示手段７２に表示するといった一連の作業を主に行っている。また、これらの処理を適切に行うために表示ユニット３０にはマイコン７５および各種設定値を記憶保持するためのＲＯＭ７６を有している。また、このＲＯＭ７６に記録された設定値をマイコ��７５を介して変更可能にするための手段として、リモコン８０からの所定信号を受光するための受光手段７８を設けて各種制御を行うようにすることが可能となる。なお、マイコン７５が、請求の範囲に記載の受信制御手段と受信装置用指定手段と受信アンテナ用指定手段とに、受光手段７８が、請求の範囲に記載の受信装置用受付手段と受信アンテナ用受付手段とに該当する。【００７９】  ここで、表示ユニット３０における、受光手段７８、マイコン７５、および無線送受信手段７９について、さらに詳しく説明する。【００８０】  受光手段７８は、リモコン８０から各種の信号を受信し、受信した信号をマイコン７５に送る。【００８１】  マイコン７５は、受光手段７８から送られてきた信号を受け付ける。ここで、受け付けた信号が、アンテナ４１〜４３のうち、データ受信に用いるアンテナを指定するための信号（指定信号）である場合、マイコン７５は、この指定信号を無線送受信手段７９に送る。【００８２】  無線送受信手段７９は、マイコン７５から上記指定信号を受け付ける。そして、無線送受信手段７９は、上記指定信号により指定されたアンテナを選択する。さらに、無線送受信手段７９は、この指定されたアンテナを用いて、映像伝送ユニット２０から送られてくる映像データを受信する。【００８３】  一方、マイコン７５が、或る特定の信号を受け付けた場合、マイコン７５は、アンテナを順に指定する。より詳しくは、マイコン７５は、アンテナを順に指定した信号を無線送受信手段７９に送る。マイコン７５は、例えば、アンテナ４１を指定する信号を送り、その後、アンテナ４２を指定する信号を送り、さらにその後、アンテナ４３を指定する信号を無線送受信手段６５に送る。なお、上記特定の信号が、請求の範囲に記載の所定の指示に該当する。【００８４】  無線送受信手段７９は、上記順に指定されたアンテナを用いてデータ受信を行う。つまり、無線送受信手段７９は、例えば、アンテナ４１を用いてデータ受信を行った後、アンテナ４２を用いたデータ受信を行い、さらにその後、アンテナ４３を用いたデータ受信を行う。【００８５】  さらに、無線送受信手段７９は、映像伝送ユニット２０から送られてくるアンテナ情報を受信する。この受信したアンテナ情報は、デコーダ７０および映像処理手段７１を介して、表示手段７２に送られる。そして、表示手段７２では、上記アンテナ情報に基づいた、アンテナを示す情報（識別情報）が表示される。なお、無線送受信手段７９によるアンテナ情報の受信は、無線送受信手段７９が上記指定信号を受信した場合、および、上記或る特定の信号を受信した場合の両方の場合に行われることが好ましい。【００８６】  以上のように、映像伝送ユニット（送信装置・通信装置）２０は、少なくとも、データ送信用の複数のアンテナ（２６・２７）と、前記複数のアンテナのうち、データ送信に用いるアンテナを指定する指定信号を、外部から受け付ける受光手段（送信装置用受付手段）６９と、前記指定信号で指定されたアンテナを用いてデータ送信を行う無線送受信手段（送信手段）６５とを備える構成である。そして、この構成によれば、指定されたアンテナを用いて送信したデータを、受信側の装置（受信装置）で確認する���とができる。したがって、受信装置でのデータ受信が良好な場合には、指定されたアンテナが異常でないことを判断できる。【００８７】  また、映像伝送ユニット（送信装置・通信装置）２０は、少なくとも、データ送信用の複数のアンテナ（２６・２７）と、所定の指示を受け付けた場合、アンテナを順に指定するマイコン（送信装置用指定手段）６７と、前記順に指定されたアンテナを用いてデータ送信を行う無線送受信手段（送信手段）６５とを備える構成であるとも言える。そして、この構成によれば、各アンテナを用いてデータ送信した際のデータを、受信装置で確認することができる。したがって、全てのアンテナに関し、アンテナの異常を判断できる。【００８８】  また、以上のように、表示ユニット（受信装置・通信装置）３０は、データ受信用の複数のアンテナ（４１・４２・４３）と、前記複数のアンテナのうち、データ受信に用いるアンテナを指定する指定信号を、外部から受け付ける受光手段（受信装置用受付手段）７８と、前記指定信号で指定されたアンテナを用いてデータ受信を行う無線送受信手段（受信手段）７９とを備える構成である。そして、この構成によれば、指定されたアンテナを用いて受信したデータを、自装置（受信装置）で確認することができる。したがって、自装置でのデータ受信が良好な場合には、指定されたアンテナが異常でないことを判断できる。【００８９】  また、表示ユニット（受信装置・通信装置）３０は、少なくとも、データ受信用の複数のアンテナ（４１・４２・４３）と、所定の指示を受け付けた場合、アンテナを順に指定するマイコン（受信装置用指定手段）７５と、前記順に指定されたアンテナを用いてデータ送信を行う無線送受信手段（受信手段）７９とを備える構成であるとも言える。そして、この構成によれば、各アンテナを用いてデータ送信した際のデータを、自装置で確認することができる。したがって、全てのアンテナに関し、アンテナの異常を判断できる。【００９０】  また、上述したように、映像伝送ユニット２０がアンテナ情報を表示ユニット３０に送信すると共に、表示ユニット３０では、このアンテナ情報に基づいた上記識別情報を表示手段７２に表示させる。それゆえ、利用者は、映像伝送ユニット２０で現に用いられているアンテナを、確認（視認）することができる。【００９１】  また、表示ユニット３０においても、現に用いられているアンテナ情報を、表示手段７２に表示させることが好ましい。この場合には、利用者は、表示ユニット３０で現に用いられているアンテナも同時に確認（視認）することができる。【００９２】  ところで、映像伝送ユニット２０の各アンテナを順に用いて映像データの送信を行った場合、あるアンテナから映像データを送信した際に、表示ユニット３０での受信状態が不良であり、かつ、上記アンテナ情報までも利用者が判別不能な場合が起こりうる。【００９３】  このような場合には、利用者は、不良のアンテナを直接的には判断できないが、他のアンテナの識別情報に基づいて、間接的に不良のアンテナを判断できる。【００９４】  また、リモコン８０が、映像伝送ユニット２０への上記指定情報を送信するに際して、表示ユニット３０が該指定情報を受信可能な構成とし、表示ユニット３０が、該指定情報に基づいて、映像伝送ユニット２０で用いられるアンテナを示す識別情報を表示する構成（以下、他の構成）としてもよい。【００９５】  ところで、上記他の構成の場合には、映像伝送ユニット２０においてアンテナの指定に失敗した場合、表示ユニット３０の表示手段７２では、映像伝送ユニット２０で用いられていないアンテナを示す識別情報が表示されるおそれがある。しかしながら、表示ユニット３０が映像伝送ユニット２０から上記アンテナ情報を受信する構成では、このような事態は発生しない。したがって、表示ユニット３０が、映像伝送ユニット２０から上記アンテナ情報を受信する構成の方が、上記他の構成に比べて、表示手段７２で表示される情報の信頼性は高い。【００９６】  さて、このような映像伝送ユニット２０と表示ユニット３０を出荷前の検査工程で検査を行うわけであるが、以下にアンテナの通信性能に関する検査について説明する。【００９７】  検査ライン上にある映像伝送ユニット２０と表示ユニット３０のペアに対し、作業者がリモコン８０から検査対象のアンテナを選択する。つまり、機能させるアンテナを選択する。この時、作業者は、映像伝送ユニット２０と表示ユニット３０において、少なくとも１つ以上のアンテナを選択する。そして、選択したアンテナの組み合わせから、各アンテナの通信性能がわかるように選択するようにする。【００９８】  リモコン８０を送出した選択信号は受光手段６９，７８に入力され、マイコン６７，７５に伝達される。なお、リモコン８０を送出した選択信号は受光手段６９，７８に入力され、マイコン６７，７５は、それぞれ、無線送受信手段６５のアンテナ２６，２７及び無線送受信手段７９のアンテナ４１，４２，４３のうちから選択指示されたものを機能させる。【００９９】  なお、リモコン８０を送出した選択信号は、受光手段６９に入力されマイコン６７が無線送受信手段６５のアンテナ２６，２７を選択して機能させると同時に、マイコン６７は無線送受信手段６５，７９を介して無線にてマイコン７５に映像伝送ユニット２０のアンテナ情報を伝達するものでもよい。【０１００】  次に、映像伝送ユニット２０のマイコン６７は、検査用画像データを受信手段６１、映像処理手段６２、エンコーダ６４を介して無線送受信手段６５から表示ユニット３０の無線送受信手段７９へＳＳ無線方式で伝送する。表示ユニット３０のマイコン７５は、無線送受信手段７９で受信した画像データを、デコーダ７０、映像処理手段７１を通じて表示手段７２に表示させる。作業者は、表示手段７２で表示された受信画像を基準画像と比較して受信状態の良否を判断する。こうして、送信装置及び受信装置の少なくとも１つ以上のアンテナを機能させて通信状態を検査できるので、機能しているアンテナの組み合わせから、各アンテナの良否を検査できる。【０１０１】  なお、受信状態は、検査装置を用いて基準信号と比較して判定してもよいし、受信画像を検査装置が読み取り基準画像信号と比較して判定してもよい。【０１０２】  また、マイコン７５は、アンテナの選択信号を映像処理手段７１に送り、映像処理手段７１は、その情報を記号化して表示手段７２に表示する。図６にその表示画��の説明を示す。アンテナの選択情報は文字データとして表示され、各文字記号は以下のように設定されている。【０１０３】  項目（１）：『ＡＮＴ−ＴＸ』は映像伝送ユニット２０のアンテナが選択可能
選択肢『Ｌ』⇒アンテナ２６を指定、『Ｒ』⇒アンテナ２７を指定、『Ｄ』⇒２６，２７のいずれか一方を自動的に選択する。【０１０４】  項目（２）：『ＡＮＴ−ＲＸ』は表示ユニット３０のアンテナが選択可能
選択肢『Ｌ』⇒アンテナ４１を指定、『Ｒ』⇒アンテナ４２を指定、『Ｃ』⇒アンテナ４３を指定、『Ｄ』⇒４１，４２、４３のいずれか一方を自動的に選択する。【０１０５】  図６では、『ＡＮＴ−ＴＸ』は『Ｌ』、『ＡＮＴ−ＲＸ』は『Ｌ』なので、アンテナ２６とアンテナ４１を選択して機能させたことを意味する。なお、アンテナの表示記号は文字だけではなく、アイコンでもよいし、アンテナごとに色を変えて表示してもよい。【０１０６】  こうして、機能させるアンテナを示す記号を前記表示手段に表示するので、検査工程において、作業者が送受信検査をしている時に、どのアンテナによる検査を行っているのか容易に認識することが可能となる。さらに、受信中の映像信号に重ねて前記アンテナ記号を表示させると、ワイヤレス通信システムの受信状態を確認しながら現在機能させているアンテナも同時に特定確認することができる。【０１０７】  『Ｄ』の場合は、マイコン６７，７５が予め設定された順でアンテナを選択する。これらデータはＲＯＭ６８，７６に格納されており、このデータにしたがってアンテナを選択する。送信装置及び受信装置のマイコンが、機能させるアンテナを自動的に選択するので、検査作業者がアンテナを選択する手間が省ける。【０１０８】  以上のように、表示ユニット３０の映像処理手段（表示制御手段）７１は、受信した映像データに基づく映像に、上記識別情報を重畳させて表示手段に表示させる構成であると言える。【０１０９】  この構成によれば、表示制御手段により、受信した映像データに基づく映像に、前記識別情報を重畳させて表示手段に表示させることができる。それゆえ、受信した映像データに基づく映像の状態を確認しながら、同時に、送信装置で用いられているアンテナを確認することができる。したがって、送信装置で用いられているアンテナを把握しつつ、受信状態を確認できる。【０１１０】  ここで、検査工程の一具体例を説明する。なお、ここでは、映像伝送ユニット２０および表示ユニットが、リモコン８０から、それぞれ個別に上記指定信号を受信する場合について説明する。【０１１１】  まず、作業者が、リモコン８０を用いて、リモコン８０から映像伝送ユニット２０に対してアンテナ２６を指定する指定信号を送る。また、作業者は、リモコン８０を用いて、リモコン８０から表示ユニット３０に対してアンテナ４１を指定する指定信号を送る。そして、作業者は、表示手段７２に表示される画像の表示状態を確認する。なお、この場合には、表示手段７２には、『ＡＮＴ−ＴＸ：Ｌ』と、『ＡＮＴ−ＲＸ：Ｌ』という表示がなされる。【０１１２】  その後、作業者は、リモコン８０を用いて、表示ユニット３０に対してアンテナ４２を指定する指定信号を送る。そして、作業者は、表示手段７２に表示される画像の表示状態を確認する。なお、この場合には、表示手段７２には、『ＡＮＴ−ＴＸ：Ｌ』と、『ＡＮＴ−ＲＸ：Ｒ』という表示がなされる。【０１１３】  その後、作業者は、リモコン８０を用いて、表示ユニット３０に対してアンテナ４３を指定する指定信号を送る。そして、作業者は、表示手段７２に表示される画像の表示状態を確認する。なお、この場合には、表示手段７２には、『ＡＮＴ−ＴＸ：Ｌ』と、『ＡＮＴ−ＲＸ：Ｃ』という表示がなされる。【０１１４】  次に、作業者が、リモコン８０を用いて、リモコン８０から映像伝送ユニット２０に対してアンテナ２７を指定する指定信号を送る。そして、作業者は、表示手段７２に表示される画像の表示状態を確認する。なお、この場合には、表示手段７２には、『ＡＮＴ−ＴＸ：Ｒ』と、『ＡＮＴ−ＲＸ：Ｃ』という表示がなされる。【０１１５】  その後、作業者は、リモコン８０を用いて、表示ユニット３０に対してアンテナ４２を指定する指定信号を送る。そして、作業者は、表示手段７２に表示される画像の表示状態を確認する。なお、この場合には、表示手段７２には、『ＡＮＴ−ＴＸ：Ｒ』と、『ＡＮＴ−ＲＸ：Ｒ』という表示がなされる。【０１１６】  その後、作業者は、リモコン８０を用いて、表示ユニット３０に対してアンテナ４１を指定する指定信号を送る。そして、作業者は、表示手段７２に表示される画像の表示状態を確認する。なお、この場合には、表示手段７２には、『ＡＮＴ−ＴＸ：Ｒ』と、『ＡＮＴ−ＲＸ：Ｌ』という表示がなされる。【０１１７】  以上により、作業者は、全てのアンテナの組み合わせ（６通り）について、表示ユニット３０での受信状態を確認することができる。したがって、受信状態が不良となるアンテナの組み合わせから、不良なアンテナを特定することができる。【０１１８】  ところで、上述したように、上記指定信号を用いたアンテナの指定や、上記特定の信号を用いたアンテナの順次切替を、映像伝送ユニット２０および表示ユニット３０の出荷前の検査工程で行えば、一般ユーザがユニット２０・３０を手にする前に、不良なアンテナを特定することができる。また、出荷後においても、作業者（利用者）により再度の検査を行う場合に、上記のアンテナの指定等を行えば、アンテナの不良を判断できる。【０１１９】  また、表示ユニット３０は、アンテナ４３を備える構成であるが、このアンテナ４３を備えない構成としてもよい。【０１２０】  さらに、上記においては、映像伝送ユニット２０のアンテナ２６・２７は、異方性配置の関係にあればよいとして説明したが、必ずしも、これに限定されるものではない。つまり、上記アンテナ２６・２７は、必ずしも、互いに異方性配置の関係になくてもよい。【０１２１】  また、表示ユニット３０においても同様であり、アンテナ４１・４２・４３は、必ずしも、互いに異方性配置の関係になくてもよい。【０１２２】  ただし、映像伝送ユニット２０において、複数のアンテナのうち、少なくとも１つのアンテナが、他のアンテナと異方性配置の関係を有する構成とすれば、他のアンテナと異方性配置の関係を有するアンテナから送信される電波の状態は、上記他のアンテナから送信される電波の状態と異なることになる。それゆえ、送信に用いるアンテナを適宜選択することにより、全てのアンテナが互いに異方性配置の関係にない場合に比べて、表示ユニット３０での受信状態を良好に保つことができる。【０１２３】  また、表示ユニット３０においても同様であり、前記複数のアンテナのうち、少なくとも１つのアンテナを、他のアンテナと異方性配置の関係を有する構成とすれば、他のアンテナと異方性配置の関係を有するアンテナによ���電波の状態は、上記他のアンテナによる電波の状態と異なることになる。それゆえ、受信に用いるアンテナを適宜選択することにより、全てのアンテナが互いに異方性配置の関係にない場合に比べて、自ユニット３０での受信状態を良好に保つことができる。【０１２４】  また、映像伝送ユニット２０は、複数のアンテナを備え、データの送信に用いるアンテナを前記複数のアンテナ間で切り替える装置であると言える。さらに、表示ユニット３０は、複数のアンテナを備え、データの受信に用いるアンテナを前記複数のアンテナ間で切り替える装置であると言える。【０１２５】  また、上述したように、上記或る特定の信号を受け付けた場合には、マイコン６７は、アンテナを順に指定した。この場合、映像伝送ユニット２０におけるアンテナの指定は、表示ユニット３０から所定の信号の受信する毎に行われる構成としてもよい。【０１２６】  この構成によれば、アンテナの指定は、表示ユニット３０から所定の信号の受信する毎に行われる。したがって、表示ユニット３０においてデータ受信の良否を判定した後に、表示ユニット３０が所定の信号を送信する構成とすれば、各アンテナについて、異常であるか正常であるかを判断できる。【０１２７】  なお、表示ユニット３０におけるデータ受信の良否の判断は、ユーザによるものであってもよいし、あるいは、表示ユニット３０に前記良否を判断するための手段を設け、該手段により判断する構成であってもよい。【０１２８】  また、上述したように、上記或る特定の信号を受け付けた場合には、マイコン７５は、アンテナを順に指定した。この場合、表示ユニット３０におけるアンテナの指定は、映像伝送ユニット２０から所定の信号の受信する毎に行われる構成としてもよい。【０１２９】  この構成によれば、アンテナの指定は、映像伝送ユニット２０から所定の信号の受信する毎に行われる。それゆえ、例えば、映像伝送ユニット２０が送信用の複数のアンテナを備え、かつ、アンテナを順次切り替える構成の場合、映像伝送ユニット２０が上記切り替えにより全てのアンテナを選択した後に、その都度、所定の信号を送信する構成とすれば、映像伝送ユニット２０と表示ユニット３０との各アンテナに関する全ての組み合わせについて、表示ユニット３０で受信状態を判断できる。したがって、このような場合、表示ユニット３０のアンテナのみならず、映像伝送ユニット２０のアンテナについても、異常であるか正常であるかを判断できる。【０１３０】  なお、表示ユニット３０におけるデータ受信の良否の判断は、ユーザによるものであってもよいし、あるいは、表示ユニット３０に前記良否を判断するための手段を設け、該手段により判断する構成であってもよい。【０１３１】  本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１３２】  なお、上述した送信装置用指定手段や受信装置用指定手段は、それぞれ、マイコン（６７・７５）におけるＣＰＵ等の演算手段が、ＲＯＭ（Ｒｅａｄ  Ｏｎｌｙ  Ｍｅｍｏｒｙ）（例えば、ＲＯＭ６８・７６）やＲＡＭ（マイコン内のＲＡＭおよび／またはマイコン外のＲＡＭ）などの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の各ユニットの各種機能および各種処理を実現することができる。また、上記プログラムをリムーバブルな記録媒体に記録することにより、任意のコンピュータ上で上記の各種機能および各種処理を実現することができる。【０１３３】  この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。【０１３４】  また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。【０１３５】  また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等による半導体メモリを含めた固定的にプログラムを担持する記録媒体等がある。【０１３６】  また、インターネットを含む通信ネットワークを接続可能なシステム構成であれば、通信ネットワークからプログラムをダウンロードするように流動的にプログラムを担持する記録媒体であることが好ましい。【０１３７】  さらに、このように通信ネットワークからプログラムをダウンロードする場合には、そのダウンロード用のプログラムは予め本体装置に格納しておくか、あるいは別な記録媒体からインストールされるものであることが好ましい。【０１３８】  本発明に係る送信装置（通信装置）は、以上のように、データ送信用の複数のアンテナと、前記複数のアンテナのうち、データ送信に用いるアンテナを指定する指定信号を、外部から受け付ける送信装置用受付手段と、前記指定信号で指定されたアンテナを用いてデータ送信を行う送信手段とを備える構成である。【０１３９】  また、本発明に係る送信装置（通信装置）は、上記の送信装置において、前記送信装置用受付手段は、前記指定信号を遠隔制御装置から受け付ける構���である。【０１４０】  上記の構成によれば、送信装置用受付手段は、前記指定信号を遠隔制御装置から受け付ける。それゆえ、指定信号を、離れた位置から送信することができる。したがって、指定信号の入力操作の利便性が向上するという効果を奏する。【０１４１】  また、本発明に係る送信装置（通信装置）は、以上のように、データ送信用の複数のアンテナと、所定の指示を受け付けた場合、アンテナを順に指定する送信装置用指定手段と、前記順に指定されたアンテナを用いてデータ送信を行う送信手段とを備える構成である。【０１４２】  また、本発明に係る送信装置（通信装置）は、上記の送信装置において、自装置が送信するデータを受信する装置を受信装置とすると、前記アンテナの指定は、前記受信装置から所定の信号の受信する毎に行われる構成である。【０１４３】  上記の構成によれば、アンテナの指定は、受信装置から所定の信号の受信する毎に行われる。【０１４４】  したがって、受信装置においてデータ受信の良否を判定した後に、受信装置が所定の信号を送信する構成とすれば、各アンテナについて、異常であるか正常であるかを判断できるという効果を奏する。なお、受信装置におけるデータ受信の良否の判断は、ユーザによるものであってもよいし、あるいは、受信装置に前記良否を判断するための手段を設け、該手段により判断する構成であってもよい。【０１４５】  また、本発明に係る送信装置（通信装置）は、上記の送信装置において、前記複数のアンテナのうち、少なくとも１つのアンテナは、他のアンテナと異方性配置の関係を有している構成である。【０１４６】  上記の構成によれば、少なくとも１つのアンテナは、他のアンテナと異方性配置の関係を有している。それゆえ、他のアンテナと異方性配置の関係を有するアンテナから送信される電波の状態は、上記他のアンテナから送信される電波の状態と異なる。したがって、送信に用いるアンテナを適宜選択することにより、全てのアンテナが互いに異方性配置の関係にない場合に比べて、受信装置での受信状態を良好に保つことができるという効果を奏する。【０１４７】  また、本発明に係る送信装置（通信装置）は、上記の送信装置において、前記送信手段は、自装置で利用されているアンテナを示す情報を、前記受信装置に送信する構成である。【０１４８】  上記の構成によれば、送信手段により、自装置で利用されているアンテナを示す情報を、前記受信装置に送信することができる。【０１４９】  したがって、受信装置において上記アンテナを示す情報に基づいた表示を行うことにより、受信装置において、送信装置で用いられているアンテナを確認（視認）することができるという効果を奏する。【０１５０】  また、本発明に係る受信装置（通信装置）は、以上のように、データ受信用の複数のアンテナと、前記複数のアンテナのうち、データ受信に用いるアンテナを指定する指定信号を、外部から受け付ける受信装置用受付手段と、前記指定信号で指定されたアンテナを用いてデータ受信を行う受信手段とを備える構成である。【０１５１】  また、本発明に係る受信装置（通信装置）は、上記の受信装置において、前記受信装置用受付手段は、前記指定信号を遠隔制御装置から受け付ける構成で���る。【０１５２】  上記の構成によれば、受信装置用受付手段は、前記指定信号を遠隔制御装置から受け付ける。それゆえ、指定信号を、離れた位置から送信することができる。したがって、指定信号の入力操作の利便性が向上するという効果を奏する。【０１５３】  また、本発明に係る受信装置（通信装置）は、以上のように、データ受信用の複数のアンテナと、所定の指示を受け付けた場合、アンテナを順に指定する受信装置用指定手段と、前記順に指定されたアンテナを用いてデータ受信を行う受信手段とを備える構成である。【０１５４】  また、本発明に係る受信装置（通信装置）は、上記の受信装置において、自装置に対してデータを送信する装置を送信装置とすると、前記アンテナの指定は、前記送信装置から所定の信号の受信する毎に行われる構成である。【０１５５】  上記の構成によれば、アンテナの指定は、送信装置から所定の信号の受信する毎に行われる。【０１５６】  それゆえ、例えば、送信装置が送信用の複数のアンテナを備え、かつ、アンテナを順次切り替える構成の場合、送信装置が上記切り替えにより全てのアンテナを選択した後に、その都度、所定の信号を送信する構成とすれば、送信装置と受信装置との各アンテナに関する全ての組み合わせについて、自装置で受信状態を判断できる。したがって、このような場合、自装置のアンテナのみならず、送信装置のアンテナについても、異常であるか正常であるかを判断できるという効果を奏する。【０１５７】  なお、受信装置におけるデータ受信の良否の判断は、ユーザによるものであってもよいし、あるいは、受信装置に前記良否を判断するための手段を設け、該手段により判断する構成であってもよい。【０１５８】  また、本発明に係る受信装置（通信装置）は、上記の受信装置において、前記複数のアンテナのうち、少なくとも１つのアンテナは、他のアンテナと異方性配置の関係を有している構成である。【０１５９】  上記の構成によれば、少なくとも１つのアンテナは、他のアンテナと異方性配置の関係を有している。【０１６０】  それゆえ、他のアンテナと異方性配置の関係を有するアンテナによる電波の状態は、上記他のアンテナによる電波の状態と異なる。したがって、受信に用いるアンテナを適宜選択することにより、全てのアンテナが互いに異方性配置の関係にない場合に比べて、自装置での受信状態を良好に保つことができるという効果を奏する。【０１６１】  また、本発明に係る受信装置（通信装置）は、上記の受信装置において、前記受信手段は、前記送信装置で利用されているアンテナを示す情報を、前記送信装置から受信し、前記受信手段で受信したアンテナを示す情報に基づいて、前記アンテナを識別するための識別情報を表示する表示手段を備える構成である。【０１６２】  上記の構成によれば、受信手段により、送信装置で利用されているアンテナを示す情報を、前記送信装置から受信することができる。また、表示手段により、この受信したアンテナを示す情報に基づいて、前記アンテナを識別するための識別情報を表示することができる。したがって、送信装置で用いられているアンテナを確認（視認）することができるという効果を奏する。【０１６３】  また、本発明に係る受信装置（���信装置）は、上記の受信装置において、前記データは、少なくとも映像データを含み、前記受信した映像データに基づく映像に、前記識別情報を重畳させて表示手段に表示させる表示制御手段を備える構成である。【０１６４】  上記の構成によれば、表示制御手段により、受信した映像データに基づく映像に、前記識別情報を重畳させて表示手段に表示させることができる。それゆえ、受信した映像データに基づく映像の状態を確認しながら、同時に、送信装置で用いられているアンテナを確認することができる。したがって、送信装置で用いられているアンテナを把握しつつ、受信状態を確認できるという効果を奏する。【０１６５】  また、本発明に係る無線通信システムは、以上のように、上記の送信装置と、上記の受信装置とを備える構成である。【０１６６】  また、本発明に係る無線通信システムは、上記の無線通信システムにおいて、前記送信装置用受付手段に前記指定信号を送信する遠隔制御装置を備える構成である。【０１６７】  上記の構成によれば、無線通信システムは、送信装置用受付手段に前記指定信号を送信する遠隔制御装置を備えている。それゆえ、上記指定信号を、離れた位置から送信することができる。したがって、上記指定信号の入力操作の利便性が向上するという効果を奏する。【０１６８】  また、本発明に係る無線通信システムは、上記の無線通信システムにおいて、前記受信装置用受付手段に前記指定信号を送信する遠隔制御装置を備える構成である。【０１６９】  上記の構成によれば、無線通信システムは、受信装置用受付手段に前記指定信号を送信する遠隔制御装置を備えている。それゆえ、上記指定信号を、離れた位置から送信することができる。したがって、上記指定信号の入力操作の利便性が向上するという効果を奏する。【０１７０】  また、本発明に係る無線通信システムは、以上のように、異方性配置の関係にある複数のアンテナを有する送信装置と受信装置を備える無線通信システムにおいて、検査工程時に送信装置及び受信装置のそれぞれのアンテナを機能させるか否かを選択できる選択手段を備え、前記送信装置は、前記選択手段から指示されたアンテナを機能させる送信制御手段を備え、前記受信装置は、前記選択手段から指示されたアンテナを機能させる受信制御手段を備え、送信装置及び受信装置における、少なくとも１つ以上のアンテナを機能させて、各アンテナの全ての組み合わせの通信状態を検査する構成である。【０１７１】  また、本発明に係る無線通信システムは、以上のように、異方性配置の関係にある複数のアンテナを有する送信装置と受信装置を備える無線通信システムにおいて、前記送信装置は、所定の順にアンテナを機能させる送信制御手段を備え、前記受信装置は、所定の順にアンテナを機能させる受信制御手段を備え、送信装置及び受信装置における、少なくとも１つ以上のアンテナを機能させて、各アンテナの全ての組み合わせの通信状態を検査する構成である。【０１７２】  また、本発明に係る無線通信システムは、上記の無線通信システムにおいて、前記受信装置は、受信した映像を表示する表示手段を備え、機能させるアンテナを示す記号を前記表示手段に表示する構成である。また、本発明に係る無線通信システ���は、上記の無線通信システムにおいて、前記受信装置は、受信中の映像信号に重ねて前記アンテナ記号を表示する構成である。【０１７３】  上記の発明によれば、機能させるアンテナを示す記号を前記表示手段に表示するので、検査工程において、作業者が送受信検査をしている時に、どのアンテナによる検査を行っているのか容易に認識することが可能となる。さらに、受信中の映像信号に重ねて前記アンテナ記号を表示するので、ワイヤレス通信システムの受信状態を確認しながら現在機能させているアンテナも同時に特定確認することができる。【０１７４】  また、本発明に係るデータ送信方法は、以上のように、複数のアンテナのうち、データ送信に用いるアンテナを指定する指定信号を、外部から受け付ける受付ステップと、前記指定信号で指定されたアンテナを用いてデータ送信を行う送信ステップとを備える方法である。【０１７５】  また、本発明に係るデータ送信方法は、以上のように、所定の指示を受け付けた場合、アンテナを順に指定する指定ステップと、前記順に指定されたアンテナを用いてデータ送信を行う送信ステップとを備える方法である。【０１７６】  また、本発明に係るデータ受信方法は、以上のように、複数のアンテナのうち、データ受信に用いるアンテナを指定する指定信号を、外部から受け付ける受付ステップと、前記指定信号で指定されたアンテナを用いてデータ受信を行う受信ステップとを備える方法である。【０１７７】  また、本発明に係るデータ受信方法は、以上のように、所定の指示を受け付けた場合、アンテナを順に指定する選択ステップと、前記順に指定されたアンテナを用いてデータ受信を行う受信ステップとを備える方法である。【０１７８】  また、本発明に係るプログラムは、以上のように、上記送信装置の送信装置用指定手段としてコンピュータを機能させるためのプログラムである。【０１７９】  また、本発明に係るプログラムは、以上のように、上記受信装置の受信装置用指定手段としてコンピュータを機能させるためのプログラムである。【０１８０】  また、本発明に係る記録媒体は、以上のように、上記プログラムを記録したコンピュータ読み取り可能な記録媒体である。
【産業上の利用可能性】
【０１８１】  複数のアンテナを備え、アンテナを切り替えて通信を行う各種の通信装置に適用可能である。
【図１】
0004176770.tif 000002
【図２（ａ）】
0004176770.tif 000003
【図２（ｂ）】
0004176770.tif 000004
【図３】
0004176770.tif 000005
【図４】
0004176770.tif 000006
【図５】
0004176770.tif 000007
【図６】
0004176770.tif 000008